(57)【特許請求の範囲】
【請求項１】
ばねによって付勢されたねじ駒が、ボルトをベースの穴に挿入することにより、ベースに形成したすり鉢状穴の斜面に沿って反付勢方向に移動した後、付勢方向に移動してボルトを締結する装置において、
前記ばねはボルト挿通穴を有して前記ベースに取り付けられたキャップに押えられることによりねじ駒を直径の縮方向に付勢し、前記斜面はベースに挿入されるボルトの挿入方向に向かって径が漸減しており、前記ねじ駒はナットを分割した分割形状に形成された１個であり、前記ベースの穴の直径と略平行な端面を有する半ドーナツ形状部がねじ駒と対面するように前記ベースに形成され、ねじ駒の端面が半ドーナツ形状部の端面と当接することによりボルトの挿入時にボルトと干渉しないようにねじ駒の位置が規制されていることを特徴とする簡易締結装置。
【請求項２】
ばねによって付勢されたねじ駒が、ボルトをベースの穴に挿入することにより、ベースに形成したすり鉢状穴の斜面に沿って反付勢方向に移動した後、付勢方向に移動してボルトを締結する装置において、
前記ばねはボルト挿通穴を有して前記ベースに取り付けられたキャップに押えられることによりねじ駒を直径の縮方向に付勢し、前記斜面はベースに挿入されるボルトの挿入方向に向かって径が漸減しており、前記ねじ駒はナットを分割した分割形状に形成された１個であり、前記ベースの穴の直径と略平行な端面を有する半ドーナツ形状部がねじ駒と対面するように前記ベースに形成され、ねじ駒の端面が半ドーナツ形状部の端面と当接することによりボルトの挿入時にボルトと干渉しないようにねじ駒の位置が規制され、ボルトに噛み込む固定ねじ部を前記半ドーナツ形状部に設けたことを特徴とする簡易締結装置。
【請求項３】
ボルトへの締付け状態において、ねじ駒のねじ部及びベースの固定ねじ部のねじの位相が相互にずれるようにしたことを特徴とする請求項２記載の簡易締結装置。
【発明の詳細な説明】
【０００１】
【発明の属する技術分野】
本発明は、建設、電気、機械等の諸設備に使用される可動式ねじ駒を用いたワンタッチで挿入、締付けが行える簡易締結装置に関するものである。
【０００２】
【従来の技術】
簡易締結装置は、ボルトのワンタッチ挿入によってボルトと締結するように使用される。従来の簡易締結装置としては、実公昭５５−４８１７１号公報に記載されるように、ボルトに噛み合うねじ駒をナットを分割した形状とし、このねじ駒を複数用いた構造となっている。
【０００３】
【発明が解決しようとする課題】
しかしながら、上記公報の簡易締結装置では、ねじ駒がボルトに確実に噛み合うために、複数のねじ駒のそれぞれのねじの位相を変える必要がある。このためには、ねじ駒を順序正しく配置しなければならず、組み立てが面倒であるばかりでなく、誤組み付けし易く、製造面からの問題を有している。また、異なったねじの位相のねじ駒を製造する場合には、そのための型が多種類必要となり、製造コストが高騰する問題も有している。さらには、複数のねじ駒を配置するだけのスペースが必要であり、小型化ができない問題点も有している。
【０００４】
本発明はこのような従来の問題点を考慮してなされたものであり、単一のねじ駒を用いる構造とすることにより、ねじ駒の無駄をなくすと共に、組み立てを簡単に行うことができ、さらには、小型化及び低コスト化が可能な簡易締結装置を提供することを目的とする。
【０００５】
【課題を解決するための手段】
上記目的を達成するため、請求項１の発明は、ばねによって付勢されたねじ駒が、ボルトをベースの穴に挿入することにより、ベースに形成したすり鉢状穴の斜面に沿って反付勢方向に移動した後、付勢方向に移動してボルトを締結する装置において、前記ばねはボルト挿通穴を有して前記ベースに取り付けられたキャップに押えられることによりねじ駒を直径の縮方向に付勢し、前記斜面はベースに挿入されるボルトの挿入方向に向かって径が漸減しており、前記ねじ駒はナットを分割した分割形状に形成された１個であり、前記ベースの穴の直径と略平行な端面を有する半ドーナツ形状部がねじ駒と対面するように前記ベースに形成され、ねじ駒の端面が半ドーナツ形状部の端面と当接することによりボルトの挿入時にボルトと干渉しないようにねじ駒の位置が規制されていることを特徴とする。
【０００６】
請求項２の発明は、ばねによって付勢されたねじ駒が、ボルトをベースの穴に挿入することにより、ベースに形成したすり鉢状穴の斜面に沿って反付勢方向に移動した後、付勢方向に移動してボルトを締結する装置において、前記ばねはボルト挿通穴を有して前記ベースに取り付けられたキャップに押えられることによりねじ駒を直径の縮方向に付勢し、前記斜面はベースに挿入されるボルトの挿入方向に向かって径が漸減しており、前記ねじ駒はナットを分割した分割形状に形成された１個であり、前記ベースの穴の直径と略平行な端面を有する半ドーナツ形状部がねじ駒と対面するように前記ベースに形成され、ねじ駒の端面が半ドーナツ形状部の端面と当接することによりボルトの挿入時にボルトと干渉しないようにねじ駒の位置が規制され、ボルトに噛み込む固定ねじ部を前記半ドーナツ形状部に設けたことを特徴とする。
【０００７】
請求項３の発明は、請求項２記載の発明であって、ボルトへの締付け状態において、ねじ駒のねじ部及びベースの固定ねじ部のねじの位相が相互にずれるようにしたことを特徴とする。
【０００８】
これらの発明では、ねじ駒が１個となっており、この１個のねじ駒がボルトに締結するため、ねじ駒の無駄がなく、誤組み立てがなくなると共に、小型化でき、安価とすることができる。
【０００９】
【発明の実施の形態】
以下、本発明に係る実施の形態を図に基づいて説明する。図１は第１実施の形態の平面図、図２はその正面図、図３は図１のＡ−Ａ線に沿う断面図、図４は図３のＢ−Ｂ線に沿う断面図、図５はベースの平面図、図６は図５のＣ−Ｃ線に沿う断面図、図７はねじ駒の平面図、図８は図７のＤ−Ｄ線に沿う断面図である。
【００１０】
図１乃至図８において、ベース１はその下部が六角形状部１ａであって、その上部は凸となって円形状部１ｂとなっている。そして、ベース１には穴１ｃが設けられると共に、この穴１ｃとつながった半ドーナツ形状部１ｄが設けられており、さらにこの半ドーナツ形状部１ｄと対面して斜面１ｅを有するすり鉢状穴１ｆが設けられている。すり鉢状穴１ｆの斜面１ｅはボルト５の挿入方向（図９（ａ）において矢印Ｅ方向）に向かって径が漸減している。
【００１１】
ベース１のすり鉢状穴１ｆの中には１個のねじ駒２が配設されており、これにより半ドーナツ形状部１ｄはねじ駒２と対面している。この場合、ねじ駒２はベース１に嵌め込まれたキャップ４に押さえられたばね３によってすり鉢状穴１ｆの斜面１ｅに押圧されている。従って、ねじ駒２はばね３によって、直径の縮方向に付勢されている。
【００１２】
ねじ駒２はナットを分割した形状をしており、内側には雌ねじ部２ａが形成されると共に、外側にはベース１のすり鉢状穴１ｆ内の斜面１ｅに対応した半円錐形状部２ｂが形成されている。また、上部には、ばね３を受ける段付き部２ｃが形成されている。上述したようにねじ駒２と対面するように半ドーナツ形状部１ｄがベース１に形成されることにより、半ドーナツ形状部１ｄの端面１ｈとねじ駒２の端面とが当接している。従って、斜面１ｅと半ドーナツ形状部１ｄの端面１ｈとによって、ボルト５との嵌合時の位置となるようにねじ駒２の位置が規制されており、ねじ駒２はベース１の穴１ｃの内径側に不用意に突出することがない。これにより、ベース１へのボルト５の挿入の際に、ねじ駒２がボルト５に干渉したり、引っ掛かることがなく、ボルト５を円滑に挿入することができる。
【００１３】
キャップ４は穴の明いたコップ形状をしており、その内側にはばね３を受ける円筒部４ａが形成され、さらにその内側にはボルト挿通孔４ｂが形成されている。また、その下端内周には凸部４ｃが形成されており、この凸部４ｃがベース１の円形状部１ｂの凹溝に嵌合することによってキャップ４はベース１に取り付けられるようになっている。
【００１４】
上記のような簡易締結装置Ｔにおいては、図９の（ａ），（ｂ），（ｃ）及び（ｄ）に示すように、ボルト５に対して簡易締結装置ＴをＥ方向へ挿入して行く。このとき、ねじ駒２がベース１の半ドーナツ形状部１ｄの端面１ｈに当接して、下方への移動が規制されてボルト５との干渉がないため、ボルト５を円滑に挿入することができる。そして、ボルト５の挿入による動きにつれてねじ駒２がベース１の斜面１ｅに沿ってａ方向へずり上がる。この時、ねじ駒２の雌ねじ部２ａとボルト５とは噛み合わないので、簡易締結装置Ｔを回すことなく挿入することができる。簡易締結装置Ｔを対象物６に当るまで挿入した後、通常のねじを締める要領でＦ方向に回すと、ねじ駒２がｂ方向（ばね３が付勢する方向）へずり下がりボルト５と噛み合い、締付けが完了する。
【００１５】
簡易締結装置Ｔをボルト５から抜き取る場合は、ねじを緩める要領で簡易締結装置ＴをＦと逆方向に回して外す。このように、ボルト５への簡易締結装置Ｔの挿入は、いちいち簡易締結装置Ｔ又はボルト５を回す必要がなく、ただ差し込むだけで簡単に行うことができる。
【００１６】
次に、本発明に係る第２実施の形態について図１０乃至図１３に基づいて説明する。この第２実施の形態は、第１実施の形態のベース１の半ドーナツ形状部１ｄの内側に固定ねじ部１ｇを設けると共に、ベース１の穴１ｃとキャップ４の穴４ｂとを長円形としたこと以外はその構成は第１実施の形態と同様である。この場合は、ねじ駒２だけの例よりもねじとして強度アップが図れるものである。
【００１７】
また、この第２実施の形態の変形形態として、ボルト５の締付け状態において、ねじ駒２のねじ部２ａ及びベース１の固定ねじ部１ｇのねじの位相を相互に少しずれるように設けることができる。この場合は、ボルト５への締付け後、ねじの位相のずれによる摩擦力が生じ、緩み止めの効果を奏することができる。
【００１８】
以上述べたような簡易締結装置は、例えば天井の取付けの際等に使用して極めて便利である。即ち、図１４に示すように、従来の天井の取り付け方法では、上の階の床内にコンクリート２１と一緒に打ち込まれたインサート（内側に雌ねじ部が切られている）２２に吊りボルト２３をねじ込んでいるが、インサート２２への吊りボルト２３の取り付けは、１本、１本ねじ込まなければならず、その取り付けが面倒なことと、吊っている個所が非常に多いこともあり、その取り付けに要する工数は膨大なものとなっている。尚、図１４において、２４はナット、２５はハンガー、２６はチャンネルである。然るに、本発明に係る簡易締結装置をインサートしておけば、吊りボルトを差し込むだけで吊りボルトが固定できる。固定した吊りボルトを外す時は、従来のねじと同じ要領で吊りボルトを反時計方向に回して外す。
【００１９】
【発明の効果】
本発明によれば、ねじ駒を１個用いる構造のため、ねじ駒に無駄がなく、誤組み立てを確実に防止でき、しかも、ねじ駒製作用の型が少なくなり、コストを低減することができる。
【図面の簡単な説明】
【図１】本発明に係る第１実施の形態の平面図である。
【図２】図１の正面図である。
【図３】図１のＡ−Ａ線に沿う断面図である。
【図４】図３のＢ−Ｂ線に沿う断面図である。
【図５】ベースの平面図である。
【図６】図５のＣ−Ｃ線に沿う断面図である。
【図７】ねじ駒の平面図である。
【図８】図７のＤ−Ｄ線に沿う断面図である。
【図９】（ａ），（ｂ），（ｃ）及び（ｄ）は第１実施の形態の使用方法を示す説明図である。
【図１０】本発明に係る第２実施の形態の平面図である。
【図１１】図１０の正面図である。
【図１２】図１０のＧ−Ｇ線に沿う断面図である。
【図１３】図１２のＨ−Ｈ線に沿う断面図である。
【図１４】従来の使用例を示す説明図である。
【符号の説明】
１  ベース
２  ねじ駒
３  ばね
４  キャップ
【図１】
0003567288.tif 000002
【図２】
0003567288.tif 000003
【図３】
0003567288.tif 000004
【図４】
0003567288.tif 000005
【図５】
0003567288.tif 000006
【図６】
0003567288.tif 000007
【図７】
0003567288.tif 000008
【図８】
0003567288.tif 000009
【図９】
0003567288.tif 000010
【図１０】
0003567288.tif 000011
【図１１】
0003567288.tif 000012
【図１２】
0003567288.tif 000013
【図１３】
0003567288.tif 000014
【図１４】
0003567288.tif 000015